(57)【特許請求の範囲】
【請求項１】
かご床、及び上記かご床に立設される側壁を有するエレベータのかご室に設けられるエレベータのかご室の手すり装置であって、
上記側壁に相対配置される手すり部材、及び互いに離間して上記側壁に取り付けられて、上記手すり部材を支持する複数の手すり支持手段を備え、
上記手すり支持手段のそれぞれが、
筒状をなし、一端を上記側壁に向けて配置され、外周部にネジ挿通穴が形成された支持本体部を有する壁側ブラケットと、
上記壁側ブラケットを上記側壁に、上記かご室内から着脱可能に保持する保持手段と、
上記支持本体部の内側に少なくとも一部を嵌められて上記壁側ブラケットに支持され、上記ネジ挿通穴に一端を向けて形成されたネジ穴を有し、上記手すり部材が固定される手すり側ブラケットと、
頭部、及び上記頭部から突出され、上記ネジ挿通穴に挿通されて上記ネジ穴に螺合される軸部を有し、上記手すり側ブラケットを上記壁側ブラケットに締着固定する締着部材と
を備え、
上記ネジ穴は、一端から他端に向かって上記側壁から離れるように、上記側壁に対して傾斜する角度をもって延在し、上記締着部材の締め付け時に上記頭部が接する部位を含む上記支持本体部の外周面の所定領域は、上記ネジ穴の穴方向に直交する平面により構成されている
ことを特徴とするエレベータのかご室の手すり装置。
【請求項２】
被嵌合部が、上記壁側ブラケットが取り付けられる上記側壁の所定部位に形成されており、
上記壁側ブラケットは、上記側壁に向けられる端部に位置決め突起を有し、上記位置決め突起と上記被嵌合部とを嵌め合わせることにより、上記壁側ブラケットが所定の取り付け位置に位置決めされる
ことを特徴とする請求項１に記載のエレベータのかご室の手すり装置。
【請求項３】
上記ネジ挿通穴は、長軸方向が上記手すり部材の長手方向に一致する長穴であることを特徴とする請求項１または請求項２に記載のエレベータのかご室の手すり装置。
【発明の詳細な説明】
【技術分野】
【０００１】
この発明は、エレベータのかご室に設けられるエレベータのかご室の手すり装置に関する。
【背景技術】
【０００２】
例えば、従来のエレベータかご室の手すりは、手すり支持体と、手すり支持体の一端に支持される手すり本体とを備え、手すり支持体の他端側は、雄ネジ部に形成され、雄ネジ部は、かご室の側壁に挿通されて、かご室の裏側からナットを雄ネジ部に螺着されることにより、手すり支持体が、かご室の側壁に支持されている（例えば、特許文献１参照）。【０００３】
従来のエレベータかごの手すりは、手すり本体を着脱するには、その都度、かご室の外側から、ナットを着脱する必要がある。当該作業は、かご室の外側で行われるため、十分に安全対策をとるなどの必要があり、ナットの着脱作業に際しての負担が大きい。【０００４】
また、従来のエレベータのかご用手すり取付構造は、スタット部材と、手すりと、手すりに溶接され、スタット部材が嵌められて、手すりをスタット部材に支持する保持部材と、保持部材をスタット部材に固定するネジとを備え、スタット部材は、予めかごの側壁板の裏面に固定されたナットに、かご内から着脱可能に螺合させて、かご内に突出させて配置可能になっている（例えば、特許文献２参照）。【０００５】
また、スタット部材は、軸線方向を含む断面において、等脚台形状となる係合溝が構成される壁面形状を有し、当該係合溝を含む主要部が、かご内側に配置される。
さらに、スタット部材に嵌合される保持部材には、係合溝に対応する位置に、ネジ孔が形成されている。
ネジの先端がスタット部材の係合溝の一対の傾斜面に当接させるまで、保持部材にネジをねじ込むことで、保持部材がスタット部材に固定される。【０００６】
従来のエレベータのかご用手すり取付構造では、手すりの着脱をかご室内からネジを着脱するだけで行うことが可能になる。
【先行技術文献】
【特許文献】
【０００７】
【特許文献１】特開２００６−１１７３６４号公報
【特許文献２】実開平７−４４７４号公報
【発明の概要】
【発明が解決しようとする課題】
【０００８】
しかしながら、従来のエレベータのかご用手すり取付構造では、ネジの形成位置やスタットボルトの製造誤差により、ネジの外周面が、係合溝を構成する一方の傾斜面のみにしか当接しないことがある。この場合、手すりが引っ張られたりすると、手すりがガタついてしまうという課題があった。【０００９】
この発明は上記の課題を解決するためになされたものであり、かご室内から、手すり支持部材を介して手すり部材を側壁に取り付け可能なエレベータのかご室の手すり装置において、手すり部材を安定した状態に保つことができるエレベータのかご室の手すり装置を得ることを目的とする。
【課題を解決するための手段】
【００１０】
この発明は、かご床、及びかご床に立設される側壁を有するエレベータのかご室に設けられるエレベータのかご室の手すり装置であって、側壁に相対配置される手すり部材、及び互いに離間して側壁に取り付けられて、手すり部材を支持する複数の手すり支持手段を備え、手すり支持手段のそれぞれが、筒状をなし、一端を側壁に向けて配置され、外周部にネジ挿通穴が形成された支持本体部を有する壁側ブラケットと、壁側ブラケットを側壁に、かご室内から着脱可能に保持する保持手段と、支持本体部の内側に嵌められて壁側ブラケットに支持され、ネジ挿通穴に一端を向けて形成されたネジ穴を有し、手すり部材が固定される手すり側ブラケットと、頭部、及び頭部から突出され、ネジ挿通穴に挿通されてネジ穴に螺合される軸部を有し、手すり側ブラケットを壁側ブラケットに締着固定する締着部材とを備え、ネジ穴は、一端から他端に向かって側壁から離れるように、側壁に対して傾斜する角度をもって延在し、締着部材の締め付け時に頭部が接する部位を含む上記支持本体部の外周面の所定領域は、ネジ穴の穴方向に直交する平面により構成されている。
【発明の効果】
【００１１】
この発明に係るエレベータのかご室の手すり装置によれば、ネジ穴は、ネジ挿通穴に向けられた一端から他端に向かって側壁から離れるように延在し、締着部材の締め付け時に頭部が接する部位を含む支持本体部の外周面の所定領域は、ネジ穴の穴方向に直交している。【００１２】
これにより、締着部材の軸部をネジ穴に螺合し、頭部を支持本体部の所定領域に当接させた状態において、手すり部材が側壁から離れる方向に引っ張られる力は、締着部材を、支持本体部の外周面の所定領域により構成される壁面に食い込ませる方向に作用する。このため、締着部材の移動が規制されるので、手すり側ブラケットがガタつくことを防止でき、手すり部材を安定した状態に保つことができる。
【図面の簡単な説明】
【００１３】
【図１】この発明の一実施の形態に係るエレベータのかご室内手すり装置が設けられたかご室内を示す上面図である。
【図２】図１のＩＩ−ＩＩ矢視断面図である。
【図３】図２のＡ部拡大図である。
【図４】図２のＩＶ−ＩＶ矢視断面図である。
【図５】図２のＢ方向から見た側面図である。
【図６】図４のＶＩ−ＶＩ矢視断面図である。
【図７】比較例のエレベータのかご室の手すり装置の要部断面図である。
【図８】この発明の一実施の形態に係るエレベータのかご室の手すり装置において、手すり部材が引っ張られたときに固定ネジに作用する力について説明する図である。
【発明を実施するための形態】
【００１４】
以下、この発明を実施するための最良の形態について、図面を参照して説明する。
【００１５】
図１はこの発明の一実施の形態に係るエレベータのかご室内手すり装置が設けられたかご室内を示す上面図である。
【００１６】
図１において、エレベータのかご室１は、外周形状が略正方形のかご床２、出入り口３が設けられるかご床２の一辺を除いたかご床２の３辺に沿って立設される側壁４、及び出入り口３の両側のかご床２に立設される袖壁５を有している。
そして、エレベータのかご室の手すり装置１０が、かご床２の３辺に立設された側壁４のそれぞれに配設されている。
【００１７】
次いで、かご室の手すり装置１０の具体的な構成について図面を参照しつつ説明する。
図２は図１のＩＩ−ＩＩ矢視断面図、図３は図２のＡ部拡大図、図４は図２のＩＶ−ＩＶ矢視断面図、図５は図２のＢ方向から見た側面図、図６は図４のＶＩ−ＶＩ矢視断面図である。
【００１８】
図１〜図６において、かご室の手すり装置１０は、側壁４と相対して配置される長尺の手すり部材１１、及び手すり部材１１を支持する複数の手すり支持手段２０を備えている。
【００１９】
手すり部材１１は、断面円形の長尺体に形成されている。
さらに、手すり部材１１の一端及び他端近傍の部位には、図２及び図４に示されるように、手すり部材１１の長手方向に互いに離間する一対の手すり貫通穴１１ａが形成されている。
【００２０】
また、キャップ１２が、図４に示されるように、手すり部材１１の開口を塞ぐように手すり部材１１の両端のそれぞれに取り付けられている。
キャップ１２の表面は、裏面と逆側に凸となる所定の曲率を有する湾曲面に形成されており、キャップ１２は、手すり部材１１の外側に凸となるように、手すり部材１１の端部に取り付けられている。
【００２１】
図２〜図６において、各手すり支持手段２０は、壁側ブラケット２１と、壁側ブラケット２１をかご室１内から着脱自在に保持する保持手段２７と、壁側ブラケット２１に嵌められて側壁ブラケット２１に支持される手すり側ブラケット３０と、壁側ブラケット２１に手すり側ブラケット３０を締着する締着部材としての固定ネジ３５と、手すり側ブラケット３０と手すり部材１１とを連結固定する手すり固定手段４０と、壁側ブラケット２１をカバーする化粧カバー５０とを備えている。
【００２２】
壁側ブラケット２１は、断面円の筒状をなす支持本体部２２と、支持本体部２２の一端縁部の全域から支持本体部２２の内側に向かって延出され、中央に貫通穴２５ａが形成されたリング平板状の側壁当接底部２５と、側壁当接底部２５の外壁面のうち、外周側に位置する所定部位から突出される位置決め突起２６とを有する。即ち、位置決め突起２６は、壁側ブラケット２１の一端から支持本体部２２の軸線方向に突出されている。
また、支持本体部２２の他端から一端に向かって、支持本体部２２の内径が漸次小さくなるように変化されている。
【００２３】
また、支持本体部２２の外周壁部には、図３に示されるように、軸方向に関して概略中間部、周方向に関して所定の位置に形成される凹部２３、及び凹部２３の底面と支持本体部２２の内側の空間とを連通するネジ挿通穴２４が形成されている。
【００２４】
なお、支持本体部２２の周方向に関し、位置決め突起２６とネジ挿通穴２４及び凹部２３は、概略同じ位置に形成されている。
【００２５】
ここでは、深さ方向に直交する凹部２３の断面、及びネジ挿通穴２４の穴方向に直交する断面は円であり、ネジ挿通穴２４と凹部２３とで、穴径がステップ状に変化している。
【００２６】
凹部２３の底面、即ち、ネジ挿通穴２４の開口縁部を含む支持本体部２２の外周面の所定領域は、支持本体部２２の一端側に位置する部位から他端側に位置する部位に向かうにつれて、支持本体部２２の軸線方向に直交する方向との間に所定の角度αをもって支持本体部２２の外側に向かって傾斜する平面であるネジ当接面２３ａにより構成されている。
また、ネジ挿通穴２４は、図４に示されるように、長穴であり、ネジ挿通穴２４と相対する方向からみて、長軸方向を支持本体部２２の軸線方向に直交させて支持本体部２２に形成されている。
【００２７】
手すり側ブラケット３０は、断面円の筒状の被支持本体部３１と、被支持本体部３１の一端及び他端の開口のうち、他端の開口縁部の全域から被支持本体部３１の全周に亘って被支持本体部３１の内側に向かって延出され、中央に貫通穴３３ａが形成されたリング平板状の手すり当接底部３３とを備えている。
【００２８】
被支持本体部３１の一端から他端に向かって、被支持本体部３１の外径が、漸次大きくなるように変化されている。
このとき、被支持本体部３１の一端での外径は、支持本体部２２の一端の内径よりやや大きく形成されている。
【００２９】
このため、手すり側ブラケット３０は、被支持本体部３１を支持本体部２２に嵌め込むと、被支持本体部３１の一端の縁部全域が、支持本体部２２の内壁面に接したところで、それ以上、手すり側ブラケット３０を押し込まれることが規制される。このとき、被支持本体部３１の一端と、側壁当接底部２５との間には、所定の間隔が開けられる。
【００３０】
被支持本体部３１には、図３に示されるように、被支持本体部３１を支持本体部２２に嵌め合わせた状態で、被支持本体部３１及び支持本体部２２の軸線方向に関し、ネジ挿通穴２４に対応する位置に、被支持本体部３１の内外を連通するネジ穴３２が形成されている。ネジ挿通穴２４は、穴方向の一端をネジ挿通穴２４に向けてネジ挿通穴２４と相対している。
【００３１】
ネジ穴３２の穴方向は、被支持本体部３１の軸線方向に直交する平面に対して所定の角度αだけ傾いている。また、被支持本体部３１の内周側のネジ穴３２の端部の位置は、外周側のネジ穴３２の端部の位置よりも、被支持本体部３１の軸線方向の他端側、言い換えれば、手すり当接底部３３に近い側に位置している。
【００３２】
支持本体部２２に被支持本体部３１が押し込まれた状態では、手すり当接底部３３の他端面と支持本体部２２の他端面とは、手すり部材１１の外径に対応する曲率半径を有する連続した湾曲面の一部を構成する。
これにより、手すり部材１１は、その外周面を手すり側ブラケット３０及び支持本体部２２の他端面に接するように配置することが可能となる。
【００３３】
以上のように構成された壁側ブラケット２１と手すり側ブラケット３０では、支持本体部２２と被支持本体部３１とを嵌め合わせて、ネジ挿通穴２４とネジ穴３２を相対させたときに、ネジ穴３２の穴方向にネジ当接面２３ａが直交する。
【００３４】
化粧カバー５０は、支持本体部２２の外径に対応する内径を有する断面円の筒状である。
化粧カバー５０には、凹部２３の直径より大きな直径を有する貫通穴５１が、化粧カバー５０の内外を連通するように形成されている。
なお、凹部２３の深さと貫通穴の長さを足した長さが、おおよそ頭部３６の厚みに一致される。
【００３５】
手すり側ブラケット３０に化粧カバー５０を嵌め合わせた後、化粧カバー５０の外周面から見て、貫通穴５１が凹部２３を内包する位置にくるように、壁側ブラケット２１まわりに化粧カバー５０を回転させて配置することが可能になっている。
【００３６】
保持手段２７は、予め、支持本体部２２が取り付けられる側壁４の所定部位の裏側に固定される固定ナット２８と、着脱用ネジ２９とを備えている。
また、固定ナット２８の雌ネジに対応する側壁４の部位には、側壁側ネジ挿通穴４ａが形成されている。
また、側壁側ネジ挿通穴４ａの下方の近傍に位置する側壁４の部位には、被嵌合部としての位置決め穴４ｂが形成されている。なお、位置決め穴４ｂと側壁側ネジ挿通穴４ａとの間の距離は、壁側ブラケット２１の貫通穴２５ａと位置決め突起２６との間の距離に対応している。
【００３７】
固定ネジ３５は、頭部３６及び頭部３６から突出される軸部３７を有し、軸部３７の周囲に位置する頭部３６の平面が当接面を構成する。
手すり固定手段４０は、ネジ４１及びナット４２により構成される。
【００３８】
次いで、手すり部材１１の手すり支持手段２０を介した側壁４への取付構造について説明する。
ここでは、例えば、出入り口３の間口方向の一方に位置する側壁４に、手すり部材１１を手すり支持手段２０を用いて取り付ける構造について説明するが、他の側壁４に、手すり部材１１を手すり支持手段２０を用いて取り付ける構造も同様である。
【００３９】
図１において、手すり支持手段２０は、かご室１の奥行き方向に互いに離間して側壁４に一対設けられている。
手すり部材１１は、その長手方向をかご室１の奥行き方向に一致させて配置されている。
手すり部材１１は、長手方向の両端のそれぞれの近傍を、側壁４に設けられた一対の手すり支持手段２０のそれぞれに支持される。
【００４０】
図２〜図６において、壁側ブラケット２１は、取り付け対称となる側壁４の表面の部位に、支持本体部２２の一端から延出される側壁当接底部２５を当接させて配置されている。
【００４１】
このとき、位置決め突起２６が、側壁４に形成された位置決め穴４ｂに嵌められて、壁側ブラケット２１が側壁４に押し付けられている。これにより、壁側ブラケット２１が所定の取り付け位置に位置決めされて、所定の姿勢に保たれ、側壁４の表面に沿って移動されることが防止される。
また、凹部２３の開口は、下方に向けられるようになっている。
【００４２】
さらに、着脱用ネジ２９が、側壁当接底部２５に形成された貫通穴２５ａ、及び側壁４に形成された側壁側ネジ挿通穴４ａに挿入されて、側壁４の裏面に予め固定された固定ナット２８に螺着されている。これにより、壁側ブラケット２１は、着脱用ネジ２９及び固定ナット２８からなる保持手段２７により側壁４に締着固定され、支持本体部２２の軸線方向が、側壁４に直交する方向に一致する方向に向けられる。
【００４３】
また、長穴であるネジ挿通穴２４は、長軸方向が手すり部材１１の長手方向に一致するように、ネジ挿通穴２４及び凹部２３は、下方に向けられた支持本体部２２の部位に来ている。
なお、着脱用ネジ２９は、かご室１内から緩めて取り外すこと可能であり、壁側ブラケット２１は、かご室１内から、着脱可能に保持手段２７により保持される。
【００４４】
また、化粧カバー５０は、支持本体部２２に外嵌されている。
さらに、手すり部材１１には、手すり当接底部３３の貫通穴３３ａに手すり部材１１の手すり貫通穴１１ａが合わせられている。そして、貫通穴３３ａ及び手すり貫通穴１１ａに、被支持本体部３１の内側に頭部を配置されるネジ４１の軸部が挿入されて、手すり部材１１の内側に突出されるネジ４１の軸部の先端が、ナット４２に螺着されている。これにより、ネジ４１の頭部とナット４２の間に手すり当接底部３３と手すり部材１１とが締め付けられて、手すり部材１１と手すり側ブラケット３０が一体化されている。
【００４５】
また、被支持本体部３１が、支持本体部２２の突出端の開口から挿入されて、被支持本体部３１と支持本体部２２とが嵌め合わされ、手すり側ブラケット３０が、壁側ブラケット２１に支持される。
このとき、被支持本体部３１の一端側の縁部全域が、支持本体部２２の内壁面との間に略隙間なく配置されている。また、被支持本体部３１の略全域が、支持本体部２２に挿入されている。
【００４６】
これにより、手すり部材１１が、手すり側ブラケット３０を介して、壁側ブラケット２１に支持される。
また、被支持本体部３１の軸線は、支持本体部２２の軸線と重なっており、それらの軸線の方向は、側壁４に直交する方向に一致する。
【００４７】
このとき、ネジ穴３２は、ネジ挿通穴２４に向けられる一端から他端に向かうにつれて側壁４から離れるように、側壁４に対して傾斜される角度をもって延在し、固定ネジ３５の締め付け時に頭部３６が当接されるネジ当接面２３ａが、ネジ穴３２の穴方向に直交する。
【００４８】
即ち、ネジ当接面２３ａは、側壁４に直交する方向との間に所定の角度をもって支持本体部２２の一端寄りに位置する部位から他端寄りに位置する部位に向かうにつれて、支持本体部２２の内側から外側に傾斜される平面により構成されている。
【００４９】
ここでは、ネジ当接面２３ａは、下方に向けられるので、図３に示されるように、ネジ当接面２３ａは、側壁４に直交する水平面に対して、所定の角度αをもって、支持本体部２２の一端寄りに位置する部位から他端寄りに位置する部位に向かって、支持本体部２２の内側から外側に傾斜される平面により構成されている。
また、ネジ挿通穴２４と相対する位置に、ネジ穴３２の一端部の開口が配置されるようになっている。
【００５０】
さらに、化粧カバー５０の貫通穴５１が凹部２３の開口に重なるように、化粧カバー５０を支持本体部２２のまわりに回転させる。
また、化粧カバー５０の内径は、支持本体部２２の外径に対応しているので、化粧カバー５０と支持本体部２２との間は略隙間なく配置される。
【００５１】
そして、固定ネジ３５の軸部３７を、貫通穴５１、凹部２３、及びネジ挿通穴２４に挿通させてネジ穴３２に螺合させ固定ネジ３５を締め付けることで、支持本体部２２と被支持本体部３１とが互いに締め付けられる。
【００５２】
このとき、凹部２３を下方に向けて配置しているので、固定ネジ３５は、乗客がかご室１内に乗り込んだときに、乗客の視野から外れる。また、凹部２３の深さと貫通穴５１の穴方向の長さを足した距離が、おおよそ頭部３６の厚みに一致されており、固定ネジ３５の頭部３６が、化粧カバー５０の表面から大きく突出されることが防止される。
以上により、固定ネジ３５が乗客から見えなくなるので、意匠性が向上される。また、化粧カバー５０を見栄えのよいものとすることで、さらに意匠性が向上される。
【００５３】
なお、図６に示されるように、被支持本体部３１に押し付けられる支持本体部２２の壁面を除いて、支持本体部２２の内周面と被支持本体部３１の外周面との間に隙間５５が形成される。
隙間５５は、手すり部材１１の手すり貫通穴１１ａの形成位置の製造誤差、側壁４への側壁側ネジ挿通穴４ａや位置決め穴４ｂの形成位置の製造誤差に起因する手すり側ブラケット３０と壁側ブラケット２１の据え付け位置の誤差を考慮して設定される。
【００５４】
支持本体部２２に被支持本体部３１が嵌められたときに、軸線方向の一端が他端に向かって側壁４から離れるように穴方向を設定されたネジ穴３２を被支持本体部３１に形成し、固定ネジ３５の締め付け時に頭部３６が当接されるネジ当接面２３ａを、ネジ穴３２の穴方向に直交させることにより得られる効果について、比較例のエレベータのかご室の手すり装置との対比により説明する。
【００５５】
図７は比較例のエレベータのかご室の手すり装置の要部断面図、図８はこの発明の一実施の形態に係るエレベータのかご室の手すり装置において、手すり部材が引っ張られたときに固定ネジに作用する力について説明する図である。
【００５６】
図７において、比較例のエレベータのかご室の手すり装置は、ネジ穴６０がネジ穴３２に代えて被支持本体部３１に形成され、凹部５３が、凹部２３に代えて支持本体部２２に形成されている他は、エレベータのかご室の手すり装置１０と同様に構成される。
【００５７】
ネジ穴６０の穴方向は、被支持本体部３１の軸線方向に直交している。
凹部５３の底面は、支持本体部２２の軸線方向と平行となるネジ当接面５３ａとして構成されている。
【００５８】
まず、比較例のエレベータのかご室の手すり装置において、手すり部材１１が側壁４に直交する水平方向に側壁４から離れるように引っ張られたときの動作について説明する。
固定ネジ３５を締め付けることで、ネジ当接面５３ａと固定ネジ３５の頭部３６との間に摩擦力が働く。白抜きの矢印で示されるように、手すり部材１１の引っ張り力は、手すり側ブラケット３０を介して固定ネジ３５に伝達されるが、この摩擦力により、壁側ブラケット２１に対し、手すり側ブラケット３０が壁側ブラケット２１の軸線方向に移動されることが防止される。
【００５９】
しかしながら、手すり部材１１の引っ張り力が、ネジ当接面と固定ネジ３５の頭部との間に摩擦力より大きいと、ネジ挿通穴２４と固定ネジ３５の軸部３７との間には、遊びが形成されているので、図７の一点鎖線で示されるように、ネジ挿通穴２４の内壁面に軸部３７が当接されるまで、手すり部材１１が、手すり側ブラケット３０及び固定ネジ３５とともに移動される。
即ち、手すり部材１１がガタついてしまう。
【００６０】
次いで、エレベータのかご室の手すり装置１０において、手すり部材１１が側壁４に直交する水平方向に側壁４から離れるように引っ張られたときの動作について説明する。
【００６１】
図８において、ネジ穴３２は、上述したように、一端から他端に向かうにつれて、穴中心が側壁４から離れるように延在している。そして、ネジ穴３２の穴方向に直交するネジ当接面２３ａは、支持本体部２２の一端側に位置する部位から他端側に位置する部位に向かうにつれて、側壁４に直交する方向に対し、所定の角度αで支持本体部２２の内側から外側に傾斜されることになる。
【００６２】
この場合、手すり部材１１が引っ張られると、図８の一点鎖線により示されるように、固定ネジ３５の頭部３６が、ネジ当接面２３ａに食い込む方向に移動される。
図８では、便宜上、固定ネジ３５の頭部３６がネジ当接面２３ａの内側に配置されるように示しているが、実際には、固定ネジ３５の頭部３６の移動方向にネジ当接面２３ａが位置するので、固定ネジ３５の移動がネジ当接面２３ａにより規制されるくさび効果が働き、固定ネジ３５が移動されることはない。
【００６３】
以上のように、エレベータのかご室の手すり装置１０では、くさび効果が働くので、手すり部材１１が強い力で引っ張られたときでも、手すり部材１１がガタつくことが防止され、手すり部材１１が安定して手すり支持手段２０に保持される。
なお、予め、支持本体部２２に手すり側ブラケット３０を押し付けた状態で、支持本体部２２と手すり側ブラケット３０とを固定ネジ３５で連結固定するので、手すり部材１１を押し込んだときにも、手すり部材１１がガタつくことが防止されている。
【００６４】
次いで、エレベータのかご室の手すり装置１０の側壁４への取付方法について説明する。
まず、位置決め突起２６が位置決め穴４ｂに嵌め合わされるように支持本体部２２の底部を取り付け対象の側壁４に押し付けて、側壁４の表面に支持本体部２２を配置する。
次いで、着脱用ネジ２９を、側壁側ネジ挿通穴４ａに挿通させて、固定ナット２８に締め付け、支持本体部２２を側壁４に固定する。
次いで、化粧カバー５０を、支持本体部２２に外嵌しておく。
【００６５】
さらに、手すり当接底部３３の貫通穴３３ａに手すり部材１１の手すり貫通穴１１ａを合わせ、被支持本体部３１の一端側から被支持本体部３１内にネジ４１を入れる。さらに、貫通穴３３ａ及び手すり貫通穴１１ａにネジ４１の軸部を挿通させて手すり部材１１の内側に突出される軸部の部位にナット４２を螺合し、手すり部材１１と手すり側ブラケット３０を予め一体化し、さらにキャップ１２を手すり部材１１に装着する。
【００６６】
被支持本体部３１を支持本体部２２に嵌め合わせ、支持本体部２２の内周面に被支持本体部３１の一端が当接されるまで、手すり側ブラケット３０を支持本体部２２内に押し込み、ネジ挿通穴２４とネジ穴３２とを相対させる。
【００６７】
次いで、化粧カバー５０の貫通穴５１が、凹部２３と重なるように、化粧カバー５０の支持本体部２２まわりの位置を調節し、固定ネジ３５の軸部３７を貫通穴５１、凹部２３、及びネジ挿通穴２４に挿通させて、ネジ穴３２に螺合し、被支持本体部３１と支持本体部２２とを連結固定する。
以上により、エレベータのかご室の手すり装置１０の側壁４への取付が完了する。
なお、手すり部材１１を取り外すときには、固定ネジ３５を外すことで、手すり部材１１を手すり側ブラケット３０とともに、壁側ブラケット２１から外すことができる。
【００６８】
この発明にかかるエレベータのかご室の手すり装置１０によれば、ネジ穴３２は、ネジ挿通穴２４に向けられた一端から他端に向かって側壁４から離れるように延在し、固定ネジ３５の締め付け時に頭部３６が当接される部位を含むネジ当接面２３ａが、ネジ穴３２の穴方向に直交している。
【００６９】
従って、固定ネジ３５の軸部３７をネジ穴３２に螺合し、頭部３６を支持本体部２２の所定領域に当接させた状態では、手すり部材１１が側壁４から離れる方向に引っ張る力は、手すり部材１１が取り付けられた手すり側ブラケット３０に螺合される固定ネジ３５を、ネジ当接面２３ａに食い込ませる方向に作用する。このため、固定ネジ３５の移動が規制されるので、予め、手すり側ブラケット３０を壁側ブラケット２１に当接させるように押し込んでおけば、手すり側ブラケット３０がガタつくことを防止できる。
【００７０】
また、被嵌合部としての位置決め穴４ｂが、壁側ブラケット２１が取り付けられる側壁４の所定部位に形成されている。そして、壁側ブラケット２１は、側壁４に向けられる端面部に位置決め突起２６を有し、位置決め突起２６と位置決め穴４ｂとを嵌め合わせて壁側ブラケット２１を側壁４に配置させることで、壁側ブラケット２１が、所望の取り付け位置に即座に位置決めされる。
これにより、壁側ブラケット２１の側壁４への取り付け作業の労力を大きく軽減できる。
【００７１】
ネジ挿通穴２４は、長軸方向を手すり部材１１の長手方向に一致させて上記支持本体部の外周部の所定部位に形成された長穴である。これにより、手すり部材１１の手すり貫通穴１１ａの形成位置の製造誤差、側壁４への側壁側ネジ挿通穴４ａや位置決め穴４ｂの形成位置の手すりの長手方向についての製造誤差に起因して、手すり側ブラケット３０と壁側ブラケット２１の据え付け位置の誤差が発生しても、隙間５５分だけ、手すり側ブラケット３０を長穴の長軸方向に移動させることができるので、手すり側ブラケット３０を壁側ブラケット２１に支持させることが可能になる。
【００７２】
また、化粧カバー５０が、支持本体部２２に着脱自在に設けられるので、化粧カバーの交換は、支持本体部２２等を交換することなく安価に行え、意匠性も向上する。
【００７３】
また、手すり部材１１の端部には、滑らかに湾曲されるキャップ１２を設けたので、手すり部材１１の端部に荷物等に損傷を負わせることを極力防止できる。
また、手すり支持手段２０を手すり部材１１の長手方向の端部を支持するように設けることで、荷物等が引っかかることが極力防止される。
【００７４】
なお、この実施の形態によれば、ネジ当接面２３ａは、凹部２３の底面により構成されるものとして説明したが、凹部２３は必ずしも形成する必要はない。例えば、ネジ挿通穴２４を、支持本体部２２の内外を連通するように形成した場合には、ネジ当接面２３ａは、ネジ挿通穴２４の開口縁部の周囲に位置する支持本体部２２の外周面の所定領域に形成される。
【００７５】
また、化粧カバー５０を設けるものとして説明したが、化粧カバー５０は、省略してもよい。
また、手すり側ブラケット３０は、略全体が、支持本体部２２に嵌められるものとして説明したが、手すり側ブラケット３０は、支持本体部２２に一部を嵌められるものであってもよい。
【符号の説明】
【００７６】
１  かご室、２  かご床、４  側壁、４ｂ  位置決め穴（被嵌合部）、１０  エレベータのかご室の手すり装置、１１  手すり部材、２０  手すり支持手段、２２  支持本体部、２１  壁側ブラケット、２４  ネジ挿通穴、２６  位置決め突起、３０  手すり側ブラケット、３２  ネジ穴、３５  固定ネジ（締着部材）、３６  頭部、３７  軸部。
【図１】
0005627796.tif 000002
【図２】
0005627796.tif 000003
【図３】
0005627796.tif 000004
【図４】
0005627796.tif 000005
【図５】
0005627796.tif 000006
【図６】
0005627796.tif 000007
【図７】
0005627796.tif 000008
【図８】
0005627796.tif 000009